(57)【要約】【課題】  家庭の便器において、男性が立ったまま小便をしようとすると、小便が便座や床に飛散しやすい。【解決手段】  断面Ｕの字状の筒状部材２と、  前記筒状部材２の下方部の外側の左右それぞれに設けられた支持部材（プレート）３とを備え、便器４のボウル部４２の中に筒状部材２の下端部が縦姿勢で挿入されるとともに、前記便器４のリム部４１に支持部材３を乗せて使用されることを特徴とする小便器。【選択図】図１
2020185094.tif 000002
【特許請求の範囲】
【請求項１】
断面Ｕの字状の筒状部材と、
前記筒状部材の下方部の外側の左右それぞれに設けられた支持部材とを備え、
便器のボウル部の中に前記筒状部材の下端部が縦姿勢で挿入されるとともに、前記便器のリム部に前記支持部材を乗せて使用されることを特徴とする小便器。
【請求項２】
前記筒状部材の後側には、傾くことを防止する傾斜防止部材が取り付けられている、請求項１記載の小便器。
【請求項３】
前記筒状部材の上方部の外側の左右それぞれには、把持部材が設けられている、請求項１記載の小便器。
【請求項４】
前記筒状部材の下端部には、前記便器のボウル部の中央位置へ小便を誘導するための下窄まり形状の裾部材が延設されている、請求項１記載の小便器。
【発明の詳細な説明】
【技術分野】
【０００１】
本発明は、脱着可能な小便器に関する。
【背景技術】
【０００２】
従来の駅などにある男性用小便器は縦長であり、壁に固定された状態で用いている（例えば、特許文献１参照。）
他方、家庭などでは、大便用洋式便器しか無い場合が多い。
【先行技術文献】
【特許文献】
【０００３】
【特許文献１】特開2005-336995号公報
【発明の概要】
【発明が解決しようとする課題】
【０００４】
ところで、男性が立って小便をする場合、駅などではよいが、大便用洋式便器しか無い家庭では次のような問題があった。すなわち、大便用便器（以下単に便器という）は相当下の方に位置しているため、小便が周囲に飛び散り、便座や床や壁を汚すといった問題があった。また、便器内の水に直接落下させても高いところからの落下のため飛沫が飛散しがちであった。
【０００５】
本発明は、従来のこのような課題を考慮し、家庭など便器しかない所でも、男性が立って小便をしても小便が飛び散らない小便器を提供することを目的とする。
【課題を解決するための手段】
【０００６】
上記目的を達成するために、第１の本発明は、
断面Ｕの字状の筒状部材と、
前記筒状部材の下方部の外側の左右それぞれに設けられた支持部材とを備え、
便器のボウル部の中に前記筒状部材の下端部が縦姿勢で挿入されるとともに、前記便器のリム部に前記支持部材を乗せて使用されることを特徴とする小便器である。
【０００７】
第２の本発明は、
前記筒状部材の後側には、傾くことを防止する傾斜防止部材が取り付けられている、第１の本発明の小便器である。
【０００８】
第３の本発明は、前記筒状部材の上方部の外側の左右それぞれには、把持部材が設けられている、第１の本発明の小便器である。
【０００９】
第４の本発明は、前記筒状部材の下端部には、前記便器のボウル部の中央位置へ小便を誘導するための下窄まり形状の裾部材が延設されている、第１の本発明の小便器である。
【発明の効果】
【００１０】
第１の本発明によれば、便器の上へ、本発明の小便器を乗せるだけで、縦長の小便器が完成するので、男性が立ったまま小便をしても飛び散る心配がなく、また、便器の水洗機能を積極的に利用できるので、用を済ませた流せばいいだけで清潔である。
【００１１】
また、第２の本発明によれば、上記第１の本発明の効果に加えて、傾斜防止部材によって、小便器が後ろ側へ傾くことを防止できる。
【００１２】
また、第３の本発明によれば、把持部があるので、持ち運びに便利である。
【００１３】
また、第４の本発明によれば、裾部があるので排出された小便は便器のボトル部の中心に導かれるのでより一層飛び散ることを防止できる。
【図面の簡単な説明】
【００１４】
【図１】本発明の実施の形態における小便器の前側からみた斜視図
【図２】同小便器を後側からみた斜視図
【図３】同小便器の変形例を示す斜視図
【図４】同小便器の別の変形例を示す斜視図
【図５】同小便器の他の別の変形例を示す斜視図
【図６】図５の小便器を後側からみた斜視図
【図７】本発明の実施の形態における小便器の別の変形例を示す斜視図
【図８】本発明の実施の形態における小便器の更に別の変形例を示す斜視図
【発明を実施するための形態】
【００１５】
以下に、本発明の持ち運び可能な小便器の実施の形態について図面を参照しながら説
明する。
【００１６】
図１は、本実施の形態の小便器の前側からみた斜視図であり、図２はその後側からみた斜視図である。
【００１７】
図１、図２において、本発明の小便器１は、横断面Ｕの字状の筒状部材２を有する。この筒状部材２の材質はプラスチックや木材や金属製でも構わない。ただし、その内側は小便が付着するのでセラミックコーティングされていることが望ましい。
【００１８】
さらに、その筒状部材２の下方部の外側の左右それぞれには、板状のプレート３が立設されている。このプレート３は本発明の支持部材の一例である。図示はしていないが、後述する便器４のリム部４１の上に載置しやすいように、そのプレート３の下面は少し凹んでいてもよい。つまり、リム部４１の形状に合うような形状が望ましい。なお、便器４の大きさは少しづつ異なるので、その凹みはある程度尤度を設けた方がよい。このプレート３の材料としてはプラスチックや金属製品でも構わない。位置的には下端から５ｃｍ上に上がった位置で、長さ４ｃｍほどのプレート３である。
【００１９】
さらに、筒状部材２の上方部の外側の左右それぞれには、把持部材６、６が設けられている。この小便器１を移動させるときに持つ取っ手である。トイレにおいて、便器４の横の空間に移動させて置くためなどである。この把持部材６、６は上端を外側へ折り曲げて形成してもよい。
【００２０】
なお、便器４とトイレの壁との間はほぼ１８ｃｍ程度空いているので、そこへ置いて収納できるサイズの小便器１が望ましい。つまり、小便器１の横寸法は最大で１８ｃｍとする。さらに、小便器１の横幅の寸法は便器４の大きさに合わす必要がある。小便器１の高さは７０ｃｍぐらいが妥当である。更に小便器１の厚みは３ｍｍ程度とする。
【００２１】
なお、図示はしていないが、置いて収納する際、床を汚さないようにするための受け皿（トレー）を便器４の横に置いておく。
【００２２】
このような小便器１を縦長な状態で、把持部材６、６を両手に持ち、その下端を便器４のボウル部４２の挿入しながら、便器４のリム部４１の上に、プレート３を載せて小便器１を安定させる。その後小便をする。し終わったら、再び把持部材６、６を手で持ち、便器４の横においてある受け皿の上に置いて収納する。
【００２３】
また、図３は、本発明の実施の形態における変形例である。すなわち、筒状部材２の下端部には、前記便器のボウル部４２の中央位置へ小便を誘導するための下窄まり形状の裾部材９が延設されている。この裾部材９の表面もセラミックコーティングされていることが望ましい。この裾部材９は中央に向かって傾斜しているので、小便がボウル部４２の中央位置の方向に誘導されるようになっている。また、その裾部材９の前側は少し狭くなっており、持ち運ぶとき、邪魔にならないようになっている。
【００２４】
これに対して、図４は、その裾部材９の変形例であって、その裾部材９の前側は特に狭くはなってはいない例である。
【００２５】
次に、図５、図６は、筒状部材２の強度を補強する補強部材７を取り付けた例である。小便器１は持ち運ぶため出来るだけ軽いほうが望ましい。しかし、筒状部材２にはプレート（支持部材）３を取り付けなくてはならず、しかも、便器４上に載置した際、しっかりとそのプレート３が本体を支える必要がある。
【００２６】
そこで、筒状部材２は薄い板状部材であっても、プレート３をしっかり取り付けることができるようにするため、補強部材７を筒状部材２の外側に取り付けているものである。
【００２７】
図６は、本発明の実施の形態の別の変形例である。この変形例では、筒状部材２の後ろ側には、この筒状部材２が後ろ側へ傾くことを防止する傾斜防止部材８が取り付けられている。この傾斜防止部材８は、棒状のアーム８２と、その先端に取り付けられた先端部材８３を備える。さらに、筒状部材２の後ろ側の外面（補強部材７があるときはその後ろ側の外面）にはリング８１が設けられ、傾斜防止部材８のアーム８２の根元は、そのリング８１に回動可能に連結されている。８４はその孔である。
【００２８】
このような変形例では小便器１を便器４の上に載置した際、そのアーム８２を回動させることにより、例えば便器５の蓋５１の内側にその先端部材８３を押し付けることができる。そのようにすることで、筒状部材２が後ろ側へ傾くあるいは倒れようとしても筒状部材２が支えられ、筒状部材２が傾斜することを防ぐことができる。
【００２９】
そのため、先端部材８３はゴムなどの弾力性を有する部材であって、摩擦係数が高く接触する対象に対して滑りにくい材料が望ましい。さらに、接触する対象の形状に対して柔軟に対応できるように、半球状が望ましい。
【００３０】
さらには、図示はしていないが、何段階かに伸縮できる、スライド式構造の支え棒であってもよい。
【００３１】
図８はさらにまた別の変形例であって、筒状部材２の上端縁２１にはチューブ２２が取り付けられている。このチューブ２２の下面には多数の孔が穿設されており、このチューブ２２へ水道など外部から水を流し込むことで、筒状部材２の内面に水を流すことができ、小便を洗い流すことができるものである。
【産業上の利用可能性】
【００３２】
本発明の小便器によれば、家庭において、便器の前に男性が立ったまま小便をする場合でも、便器の上に載置するだけで、小便が飛び散らず床などを汚す心配がないという効果を有し、家庭用の便器と組み合わせると有用である。
【符号の説明】
【００３３】
１      小便器
２      筒状部材
３      プレート（支持部材）
４      便器
５      便座
６      把持部材
７      補強部材
８      傾斜防止部材
９      裾部材
２２    チューブ
【図１】
2020185094.tif 000003
【図２】
2020185094.tif 000004
【図３】
2020185094.tif 000005
【図４】
2020185094.tif 000006
【図５】
2020185094.tif 000007
【図６】
2020185094.tif 000008
【図７】
2020185094.tif 000009
【図８】
2020185094.tif 000010
【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
便器の後部側に向って膨らむ椀曲面を有する板状部材と、
前記板状部材の下方部の外側の左右それぞれに設けられた支持部材とを備え、
前記便器のボウル部の中に前記板状部材の下端部が縦姿勢で挿入されるとともに、前記便器のリム部に前記支持部材を乗せて使用され、
前記板状部材の後ろ側には、この板状部材が後ろ側へ傾くことを防止する傾斜防止部材が取り付けられており、
前記傾斜防止部材は、棒状のアームと、その先端に取り付けられた先端部材を備え、
前記板状部材の後ろ側の外面、又は、前記板状部材の外側に取り付けられた補強部材の後ろ側の外面にはリングが設けられ、前記傾斜防止部材のアームの根元は、そのリングに回動可能に連結されており、
前記先端部材は弾力性を有する部材で構成されている、 
ることを特徴とする小便器。
【請求項２】
前記板状部材の上方部の外側の左右それぞれには、把持部材が設けられている、請求項１記載の小便器。
【請求項３】
前記板状部材の下端部には、前記便器のボウル部の中央位置へ小便を誘導するための下窄まり形状の裾部材が延設されている、請求項１記載の小便器。
【手続補正２】
【補正対象書類名】明細書
【補正対象項目名】０００６
【補正方法】変更
【補正の内容】
【０００６】
上記目的を達成するために、第１の本発明は、
便器の後部側に向って膨らむ椀曲面を有する板状部材と、
前記板状部材の下方部の外側の左右それぞれに設けられた支持部材とを備え、
前記便器のボウル部の中に前記板状部材の下端部が縦姿勢で挿入されるとともに、前記便器のリム部に前記支持部材を乗せて使用され、
前記板状部材の後ろ側には、この板状部材が後ろ側へ傾くことを防止する傾斜防止部材が取り付けられており、
前記傾斜防止部材は、棒状のアームと、その先端に取り付けられた先端部材を備え、
前記板状部材の後ろ側の外面、又は、前記板状部材の外側に取り付けられた補強部材の後ろ側の外面にはリングが設けられ、前記傾斜防止部材のアームの根元は、そのリングに回動可能に連結されており、
前記先端部材は弾力性を有する部材で構成されている、  
ることを特徴とする小便器である。
第２の本発明は、
前記板状部材の上方部の外側の左右それぞれには、把持部材が設けられている、第１の本発明の小便器である。
第３の本発明は、
前記板状部材の下端部には、前記便器のボウル部の中央位置へ小便を誘導するための下窄まり形状の裾部材が延設されている、第１の本発明の小便器である。
本発明に関連する第１の発明は、
便器の後部側に向って膨らむ椀曲面を有する板状部材（以後、断面Ｕの字状の筒状部材と称する）と、
前記筒状部材の下方部の外側の左右それぞれに設けられた支持部材とを備え、
便器のボウル部の中に前記筒状部材の下端部が縦姿勢で挿入されるとともに、前記便器のリム部に前記支持部材を乗せて使用されることを特徴とする小便器である。
【手続補正３】
【補正対象書類名】明細書
【補正対象項目名】０００７
【補正方法】変更
【補正の内容】
【０００７】
本発明に関連する第２の発明は、
前記筒状部材の後側には、傾くことを防止する傾斜防止部材が取り付けられている、本発明に関連する第１の発明の小便器である。
【手続補正４】
【補正対象書類名】明細書
【補正対象項目名】０００８
【補正方法】変更
【補正の内容】
【０００８】
本発明に関連する第３の発明は、
前記筒状部材の上方部の外側の左右それぞれには、把持部材が設けられている、本発明に関連する第１の発明の小便器である。
【手続補正５】
【補正対象書類名】明細書
【補正対象項目名】０００９
【補正方法】変更
【補正の内容】
【０００９】
本発明に関連する第４の発明は、
前記筒状部材の下端部には、前記便器のボウル部の中央位置へ小便を誘導するための下窄まり形状の裾部材が延設されている、本発明に関連する第１の発明の小便器である。
【手続補正６】
【補正対象書類名】明細書
【補正対象項目名】００１０
【補正方法】変更
【補正の内容】
【００１０】
本発明によれば、便器の上へ、本発明の小便器を乗せるだけで、縦長の小便器が完成するので、男性が立ったまま小便をしても飛び散る心配がなく、また、便器の水洗機能を積極的に利用できるので、用を済ませて流せばいいだけで清潔である。さらに、傾斜防止部材によって、小便器が後ろ側へ傾くことを防止できる。
本発明に関連する第１の発明によれば、便器の上へ、本発明の小便器を乗せるだけで、縦長の小便器が完成するので、男性が立ったまま小便をしても飛び散る心配がなく、また、便器の水洗機能を積極的に利用できるので、用を済ませて流せばいいだけで清潔である。
【手続補正７】
【補正対象書類名】明細書
【補正対象項目名】００１１
【補正方法】変更
【補正の内容】
【００１１】
また、本発明に関連する第２の発明によれば、傾斜防止部材によって、小便器が後ろ側へ傾くことを防止できる。
【手続補正８】
【補正対象書類名】明細書
【補正対象項目名】００１２
【補正方法】変更
【補正の内容】
【００１２】
また、本発明に関連する第３の発明によれば、把持部があるので、持ち運びに便利である。
【手続補正９】
【補正対象書類名】明細書
【補正対象項目名】００１３
【補正方法】変更
【補正の内容】
【００１３】
また、本発明に関連する第４の発明によれば、裾部があるので排出された小便は便器のボトル部の中心に導かれるのでより一層飛び散ることを防止できる。